(57)【要約】【課題】簡易な操作で画像を編集できる画像編集システム、編集装置、及び、画像編集方法を提供する。【解決手段】再生装置１０は、画像再生処理部１６３が、画像情報を再生順序情報に示される再生順序にしたがって再生する。通信処理部１６４は、再生順序情報が付与された画像情報を再生順序情報によって示される順に送信する。編集装置２０は、通信処理部２６４が通信の確立状態を検出するとともに、再生順序情報及び画像情報を受信する。画像編集処理部２６３は、通信が確立した際に受信した再生順序情報に示される再生順序にしたがって、再生順序情報と関連付けて画像情報を編集する。【選択図】図１
2011049979.tif 000002
【特許請求の範囲】
【請求項１】
再生装置と、該再生装置と直接的に通信を行う編集装置とを備えた画像編集システムであって、
前記再生装置は、
前記画像情報を前記再生順序情報に示される再生順序にしたがって再生する画像情報再生部と、
前記再生順序情報が付与された前記画像情報を前記再生順序情報によって示される順に送信する送信部と、
を備え、
前記編集装置は、
前記通信の確立状態を検出するとともに、前記再生順序情報及び前記画像情報を受信する受信部と、
前記通信が確立した際に受信した前記再生順序情報に示される再生順序にしたがって、前記再生順序情報と関連付けて前記画像情報を編集する画像情報編集部と、
を備えることを特徴とする画像編集システム。
【請求項２】
前記画像情報編集部は、
前記通信の確立により、前記再生順序情報及び前記再生順序情報に対応する画像情報をともに受信した場合に、前記受信した画像情報を前記再生順序情報にしたがって編集を行う
ことを特徴とする請求項１に記載の画像編集システム。
【請求項３】
前記再生装置は、
前記再生された画像情報を表示する表示部と、
前記表示部に表示する画像情報と前記送信部から送信する画像情報との同期ずれ量に基づいて、前記記憶された画像情報を前記再生順序情報に対応して再生し前記表示部に表示される画像情報を、前記編集装置に対し順に送信される前記再生順序情報に時間軸方向にシフトさせる時間シフト調整を行って同期させる時間シフト調整部と、
を備えることを特徴とする請求項１又は請求項２に記載の画像編集システム。
【請求項４】
前記画像情報は、
連続的に再生される動画情報であって、
前記再生順序情報は、
前記動画情報の再生順序を示す時系列情報である
ことを特徴とする請求項１から請求項３のいずれかに記載の画像編集システム。
【請求項５】
前記画像情報は、
繰り返して更新される静止画情報である
ことを特徴とする請求項１から請求項３のいずれかに記載の画像編集システム。
【請求項６】
前記再生装置は、
前記再生順序情報並びに前記再生順序情報が付与された画像情報を送信し、
前記編集装置は、
前記再生順序情報並びに前記再生順序情報が付与された画像情報を受信するとともに、前記受信した画像情報の編集を行う
ことを特徴とする請求項１に記載の画像編集システム。
【請求項７】
記憶された画像情報に対応付けされ、予め定められた再生順序情報に応じた順序にしたがって再生するとともに、前記再生された画像情報に対応する再生順序情報を送信する再生装置と通信を行って画像情報を編集する編集装置であって、
前記通信の確立状態を検出するとともに、前記再生順序情報を受信する受信部と、
前記通信が確立している期間に受信した前記再生順序情報に対応する順に応じて、前記再生順序情報と関連付けられた前記画像情報の再生順序を編集する画像情報編集部と、
を備えることを特徴とする編集装置。
【請求項８】
再生装置と、該再生装置と直接的に通信を行う編集装置とを用いて、予め定められた再生順序を示す再生順序情報の付与された画像情報を編集する画像編集方法であって、
前記再生装置は、
前記編集装置との距離が調節可能な状態に保持され、前記編集装置に対して接近と隔離とが繰り返えされ、前記画像情報を前記再生順序にしたがって再生するとともに、前記再生された画像情報に対応する再生順序情報を送信し、
前記編集装置は、
前記再生装置の接近により前記通信が確立した場合に、受信した前記再生順序情報に示される再生順序にしたがって画像情報を編集するステップと、
を含むことを特徴とする画像編集方法。
【発明の詳細な説明】
【技術分野】
【０００１】
本発明は、画像を編集する画像編集システム、編集装置、及び、画像編集方法に関する。
【背景技術】
【０００２】
記録した画像を編集する編集装置では、編集処理に必要とされる選択条件が多く、その選択条件に応じた編集処理が行われる（例えば、特許文献１参照）。
また、無線通信における通信速度の高速化が図られ、近距離の通信であれば高速のデータ通信が可能となっている。
【先行技術文献】
【特許文献】
【０００３】
【特許文献１】特開平５−０３０４６５号公報
【発明の概要】
【発明が解決しようとする課題】
【０００４】
しかしながら、特許文献１では、蓄積された画像情報から不要な画像情報を除き必要とされる画像情報を抽出する場合であっても、多くの選択条件に応じた編集処理のための操作が必要になるという問題がある。
【０００５】
本発明は、上記問題を解決すべくなされたもので、その目的は、簡易な操作で画像を編集できる画像編集システム、編集装置、及び、画像編集方法を提供することにある。
【課題を解決するための手段】
【０００６】
上記問題を解決するために、本発明は、再生装置と、該再生装置と直接的に通信を行う編集装置とを備えた画像編集システムであって、前記再生装置は、前記画像情報を前記再生順序情報に示される再生順序にしたがって再生する画像情報再生部と、前記再生順序情報が付与された前記画像情報を前記再生順序情報によって示される順に送信する送信部と、を備え、前記編集装置は、前記通信の確立状態を検出するとともに、前記再生順序情報及び前記画像情報を受信する受信部と、前記通信が確立した際に受信した前記再生順序情報に示される再生順序にしたがって、前記再生順序情報と関連付けて前記画像情報を編集する画像情報編集部と、を備えることを特徴とする画像編集システムである。
【０００７】
また、本発明は、上記に記載の発明において、前記画像情報編集部は、前記通信の確立により、前記再生順序情報及び前記再生順序情報に対応する画像情報をともに受信した場合に、前記受信した画像情報を前記再生順序情報にしたがって編集を行うことを特徴とする。
【０００８】
また、本発明は、上記に記載の発明において、前記再生装置は、前記再生された画像情報を表示する表示部と、前記表示部に表示する画像情報と前記送信部から送信する画像情報との同期ずれ量に基づいて、前記記憶された画像情報を前記再生順序情報に対応して再生し前記表示部に表示される画像情報を、前記編集装置に対し順に送信される前記再生順序情報に時間軸方向にシフトさせる時間シフト調整を行って同期させる時間シフト調整部と、を備えることを特徴とする。
【０００９】
また、本発明は、上記に記載の発明において、前記画像情報は、連続的に再生される動画情報であって、前記再生順序情報は、前記動画情報の再生順序を示す時系列情報であることを特徴とする。
【００１０】
また、本発明は、上記に記載の発明において、前記画像情報は、繰り返して更新される静止画情報であることを特徴とする。
【００１１】
また、本発明は、上記に記載の発明において、前記再生装置は、前記再生順序情報並びに前記再生順序情報が付与された画像情報を送信し、前記編集装置は、前記再生順序情報並びに前記再生順序情報が付与された画像情報を受信するとともに、前記受信した画像情報の編集を行うことを特徴とする。
【００１２】
また、本発明は、記憶された画像情報に対応付けされ、予め定められた再生順序情報に応じた順序にしたがって再生するとともに、前記再生された画像情報に対応する再生順序情報を送信する再生装置と通信を行って画像情報を編集する編集装置であって、前記通信の確立状態を検出するとともに、前記再生順序情報を受信する受信部と、前記通信が確立している期間に受信した前記再生順序情報に対応する順に応じて、前記再生順序情報と関連付けられた前記画像情報の再生順序を編集する画像情報編集部と、を備えることを特徴とする編集装置である。
【００１３】
また、本発明は、再生装置と、該再生装置と直接的に通信を行う編集装置とを用いて、予め定められた再生順序を示す再生順序情報の付与された画像情報を編集する画像編集方法であって、前記再生装置は、前記編集装置との距離が調節可能な状態に保持され、前記編集装置に対して接近と隔離とが繰り返えされ、前記画像情報を前記再生順序にしたがって再生するとともに、前記再生された画像情報に対応する再生順序情報を送信し、前記編集装置は、前記再生装置の接近により前記通信が確立した場合に、受信した前記再生順序情報に示される再生順序にしたがって画像情報を編集するステップと、を含むことを特徴とする画像編集方法である。
【発明の効果】
【００１４】
この本発明によれば、再生装置と編集装置が直接的に通信を行う画像編集システムにおいて、再生装置は、画像情報再生部が、画像情報を再生順序情報に示される再生順序にしたがって再生する。送信部が、再生順序情報が付与された画像情報を再生順序情報によって示される順に送信する。また、編集装置は、受信部が、通信の確立状態を検出するとともに、再生順序情報及び画像情報を受信する。画像情報編集部は、通信が確立した際に受信した再生順序情報に示される再生順序にしたがって、再生順序情報と関連付けて画像情報を編集する。
これにより、画像編集システムは、簡易な操作で画像を編集することが可能となる。
【図面の簡単な説明】
【００１５】
【図１】本発明の一実施形態による本実施形態による画像編集システム１を示す構成図である。
【図２】第１実施形態による画像編集システム１における状態遷移を示す図である。
【図３】第１実施形態による再生装置１０における処理を示したフローチャートである。
【図４】第１実施形態による編集装置２０における処理を示したフローチャートである。
【図５】第２実施形態による画像編集システム１における状態遷移を示す図である。
【図６】第２実施形態による再生装置１０における処理を示したフローチャートである。
【図７】第２実施形態による編集装置２０における処理を示したフローチャートである。
【発明を実施するための形態】
【００１６】
（第１実施形態）
以下、本発明の一実施形態について、図面を参照して説明する。
図１は、本実施形態による画像編集システム１を示す構成図である。
この図に示される画像編集システム１は、再生装置１０と編集装置２０を備える。
画像編集システム１は、再生装置１０に記録された画像情報を再生し、編集された画像情報を編集装置２０に記録する。
再生装置１０と編集装置２０との通信は、無線回線を通じて行われる。例えば、この無線回線は、ＵＷＢ（Ultra Wide Band）などの短距離無線通信技術を用いて実施可能である。
再生装置１０は、編集装置２０との距離が調節可能な状態に保持され、編集装置２０に対して接近と隔離とが繰り返される。再生装置１０は、記憶された画像情報を再生順序にしたがって再生するとともに、再生された画像情報に対応するインデックス情報（再生順序情報）を送信する。また、再生装置１０は、インデックス情報（再生順序情報）とともに、対応する画像情報も送信することとしても良い。
編集装置２０は、再生装置１０の接近により、再生装置１０との通信が確立した場合に、受信したインデックス情報に示される再生順序にしたがって画像情報を編集する。
なお、編集装置２０は、通信の確立により、インデックス情報及びインデックス情報に対応する画像情報をともに受信した場合に、受信した画像情報をインデックス情報にしたがって編集を行う。
【００１７】
画像編集システム１における再生装置１０の構成例について示す。
再生装置１０は、通信部１１、入出力部１２、表示部１３、画像情報記憶部１４、メモリー１５及び制御部１６を備える。
通信部１１は、編集装置２０の通信部２１に対しての通信を行う。通信部１１は、制御部１６から供給される送信情報を無線信号に変換して送出し、受信した無線信号から受信情報に変換し制御部１６に供給する。
入出力部１２は、再生装置１０が行う処理に必要とされる設定入力、操作入力を検出する。また、入出力部１２は、外部機器が接続され、再生装置１０が行う処理に必要な情報の入出力処理を行う。
表示部１３は、再生装置１０の操作ガイドを示す入力画面、再生した画像を表示する再生画像表示画面、編集装置２０との通信状況などを表示する状態表示画面を表示する。
【００１８】
画像情報記憶部１４は、編集を行う対象となる画像情報を記憶する。画像情報は、再生順序を示すインデックス情報と関連付けられ、そのインデックス情報とともに記憶される。画像情報記憶部１４は、半導体メモリー、ハードディスク装置、又は光ディスクなどの情報記憶媒体を含んで構成され、記憶された画像情報が制御部１６によって参照される。
メモリー１５は、制御部１６の各種処理に必要とされる設定情報、演算処理結果などの各種情報を記憶する。メモリー１５は、半導体メモリーやハードディスク装置などの情報記憶媒体を含んで構成され、制御部１６によって記録された各種情報を記憶し、また、参照される。
【００１９】
制御部１６は、再生装置１０に必要とされる各種処理を行う。
制御部１６は、入出力処理部１６１、表示処理部１６２、画像再生処理部１６３、通信処理部１６４、及び、時間シフト調整部１６５を備える。
入出力処理部１６１は、入出力部１２によって検出された設定入力、操作入力に応じて、検出された情報をメモリー１５に記録する。また、入出力処理部１６１は、入出力部１２に供給される外部機器からの情報を、画像情報記憶部１４又はメモリー１５に記憶する。また、入出力処理部１６１は、入出力部１２に接続される外部機器に画像情報記憶部１４又はメモリー１５に記憶された情報を出力する。
【００２０】
表示処理部１６２は、再生装置１０の操作を示す入力画面、再生した画像を表示する再生表示画面、編集装置２０との通信状況などの状態表示画面を生成し、表示部１３に出力する。
画像再生処理部１６３は、画像情報記憶部１４に記憶されている画像情報のインデックス情報を参照し、インデックス情報に対応付けられる画像情報の参照を順次行う。画像再生処理部１６３は、参照した画像情報を順次再生し再生画像を生成する。
通信処理部１６４は、画像再生処理部１６３によって参照されたインデックス情報及びインデックス情報に対応付けられる画像情報を通信部１１に送信させる。通信処理部１６４は、編集装置２０に対して制御情報を通知するとともに、編集装置２０の状態を受信して通信状態をメモリー１５に記憶する。
時間シフト調整部１６５は、表示部１３に表示する画像情報と通信部１１から送信する画像情報とに生じる時間差を補正する。時間シフト調整部１６５は、その時間差に基づいて、表示部１３に表示される画像情報を、編集装置２０に対して送信されるインデックス情報（再生順序情報）を基準に時間軸方向にシフトさせる時間シフト調整を行って同期させる。
【００２１】
画像編集システム１における編集装置２０の構成例について示す。
編集装置２０は、通信部２１、入出力部２２、表示部２３、画像情報記憶部２４、メモリー２５及び制御部２６を備える。
通信部２１は、再生装置１０の通信部１１に対しての通信を行う。通信部２１は、制御部２６から供給される送信情報を無線信号に変換して送出し、受信した無線信号から受信情報に変換し制御部２６に供給する。
入出力部２２は、編集装置２０が行う処理に必要とされる設定入力、操作入力を検出する。また、入出力部２２は、外部機器が接続され、編集装置２０が行う処理に必要な情報の入出力処理を行う。
表示部２３は、編集装置２０の操作ガイドを示す入力画面、再生した画像を表示する再生画像表示画面、再生装置１０との通信状況などを表示する状態表示画面を表示する。
【００２２】
画像情報記憶部２４は、編集処理が行われた編集画像情報を記憶する。編集画像情報は、再生順序を示すインデックス情報と関連付けられ、そのインデックス情報とともに記憶される。画像情報記憶部２４は、半導体メモリー、ハードディスク装置、又は光ディスクなどの情報記憶媒体を含んで構成され、記憶された編集画像情報が制御部２６によって参照される。
メモリー２５は、制御部２６の各種処理に必要とされる設定情報、演算処理結果などの各種情報を記憶する。メモリー２５は、半導体メモリーやハードディスク装置などの情報記憶媒体を含んで構成され、制御部２６によって記録された各種情報を記憶し、また、参照される。
【００２３】
制御部２６は、編集装置２０に必要とされる各種処理を行う。
制御部２６は、入出力処理部２６１、表示処理部２６２、画像編集処理部２６３、通信処理部２６４を備える。
入出力処理部２６１は、入出力部２２によって検出された設定入力、操作入力に応じて、検出された情報をメモリー２５に記録する。また、入出力処理部２６１は、入出力部２２に供給される外部機器からの情報を、画像情報記憶部２４又はメモリー２５に記憶する。また、入出力処理部２６１は、入出力部２２に接続される外部機器に画像情報記憶部２４又はメモリー２５に記憶された情報を出力する。
表示処理部２６２は、編集装置２０の操作を示す入力画面、再生した画像を表示する再生表示画面、再生装置１０との通信状況などの状態表示画面を生成し、表示部２３に出力する。
通信処理部２６４は、受信したインデックス情報及びインデックス情報に対応付けられる画像情報を画像情報記憶部２４に記録する。通信処理部２６４は、再生装置１０からの制御情報を受信するとともに通信状態をメモリー２５に記憶する、編集装置２０の状態を送信する。
画像編集処理部２６３は、画像情報記憶部２４に記憶されている画像情報のインデックス情報を参照し、インデックス情報に対応付けられる画像情報について再生順序を編集する。画像編集処理部２６３は、再生順序を編集した画像情報を画像情報記憶部２４に記録する。
【００２４】
画像編集システム１による編集処理について、再生装置１０と編集装置２０の動作説明を通して示す。
画像編集システム１では、再生装置１０と、再生装置１０と直接的に通信を行う編集装置２０とを用いて、予め定められた再生順序を示すインデックス情報（再生順序情報）の付与された画像情報を編集する。
【００２５】
再生装置１０は、編集装置２０との距離が調節可能な状態に保持される。すなわち、再生装置１０と編集装置２０の距離が必要に応じて変更できる状態に設けられる。例えば、編集装置２０が固定された位置に設けられた場合に、再生装置１０は位置が移動できるように設けられる。再生装置１０は、編集装置２０との距離が変化するように移動する構造体に支持される状態でその距離が制御されてもよく、或いは、人が距離を調整するように位置を変化させてもよい。
再生装置１０は、上記のような方法で編集装置２０に対して接近と隔離とが繰り返えされる。
【００２６】
図を参照し画像編集システム１における状態遷移を示す。
図２は、画像編集システム１における状態遷移を示す図である。
図２（ａ）は、時間の経過に応じて再生装置１０において再生される画像情報を示す。
この図に示される画像情報は、時系列に応じて画像Ｐ１からＰ１１までが順に再生される画像として示される。すなわち、この図に示されるように再生装置１０の画像再生処理部１６３は、画像情報を再生順序情報にしたがって再生し、再生された画像情報に対応する再生順序情報とともに送信する。
【００２７】
図２（ｂ）は、再生装置１０から送信された画像情報の受信結果を示す。
この図に示される画像情報は、時系列に応じて画像Ｐ１からＰ１１まで順に再生された画像を受信した画像Ｒ１からＲ１１までが示される。
ここで、画像Ｐ５、画像Ｐ６及び画像Ｐ９が送信されているタイミングでは、通信障害が発生した状態を示す。すなわち、再生装置１０と編集装置２０は、再生装置１０の接近により、互いの距離が通信可能な範囲に保持されると通信が確立する。画像Ｐ５、画像Ｐ６及び画像Ｐ９が送信されているタイミングに、再生装置１０が編集装置２０から遠い位置に配置された場合に、通信障害が発生する。編集装置２０では、画像Ｐ５、画像Ｐ６及び画像Ｐ９の情報を受信することができず、受信した画像Ｒ１からＲ１１では、そのうち画像Ｒ５、画像Ｒ６及び画像Ｒ９が欠けた情報となる。
【００２８】
図２（ｃ）は、編集装置２０が受信した画像Ｒ１からＲ１１までの情報に基づいて編集処理が行われた結果を示す。
編集装置２０は、再生装置１０の接近により通信が確立した場合に、再生装置１０が送信した画像を受信する。編集装置２０は、受信した画像に付加されたインデックス情報（再生順序情報）に示される順にしたがった再生順序に応じて画像情報を編集する。その編集の際、画像編集処理部２６３は、受信できなかった画像Ｒ５、画像Ｒ６及び画像Ｒ９の部分を飛ばして次の画像を繋いで編集を行う。
上記のように、再生装置１０と編集装置２０の互いの通信距離に応じて通信可能な状態と不可能な状態とが発生する。画像編集システム１では、この通信状態を画像編集の条件に用いる。
【００２９】
続いて、図を参照し画像編集システム１の編集処理について示す。
図３は、本実施形態における再生装置１０における処理を示したフローチャートである。
また、図４は、本実施形態における編集装置２０における処理を示したフローチャートである。図３と図４を合わせて参照し、再生装置１０と編集装置２０における処理を示す。以下のフローチャートで示される処理では、再生装置１０から送信される画像情報に再生画像の情報とその再生画像のインデックス情報が含まれる。
【００３０】
編集装置２０（録画デバイス）は、録画可能な状態（録画待機状態）にあるとする（ステップＳｂ１１）。
再生装置１０における通信処理部１６４は、編集装置２０との通信可能な状態（通信接続状態）にあるかの確認を行う。再生装置１０において編集装置２０との通信可能な状態は、通信可能な範囲まで互いの距離が接近した状態になったことによって検出される（ステップＳａ１２）。通信処理部１６４は、データ転送可能な状態であるか否かの判定を行い、データ転送可能な状態が検出できない場合は通信接続確認を繰り返し行う（ステップＳａ１３）。
同様に、編集装置２０において通信処理部２６４は、再生装置１０との通信可能な状態（通信接続状態）にあるかの確認を行う。再生装置１０との通信可能な状態は、通信可能な範囲まで互いの距離が接近した状態になったことによって検出される（ステップＳｂ１２）。通信処理部２６４は、データ転送可能な状態であるか否かの判定を行い、データ転送可能な状態が検出できない場合は通信接続確認を繰り返し行う（ステップＳｂ１３）。
【００３１】
再生装置１０は、ステップＳａ１２における判定の結果、編集装置２０との通信可能な状態（通信接続状態）にあると判定された場合は、画像再生処理部１６３が動画再生を開始する。再生装置１０は、画像再生処理部１６３による動画再生に応じて表示処理部１６２が表示部１３に再生された画像を表示する。表示部１３に表示される画像は、時間シフト調整部１６５によって時間シフト補正された画像が表示される（ステップＳａ１４）。通信処理部１６４は、再生された画像を送信する（ステップＳａ１５）。
通信処理部１６４は、編集装置２０との通信状態を常に検出し、回線離脱状態が生じたか否かを判定する。判定の結果、回線離脱状態が生じていない場合には、ステップＳａ１５における処理、すなわち、通信処理部１６４が順次再生画像を送信する処理を行う。なお、回線離脱状態とは、再生装置１０が編集装置２０との通信が行えない状態に位置され、通信が行えない状態を示す（ステップＳａ１８）。
【００３２】
また、編集装置２０において通信処理部２６４は、再生装置１０から送信された画像を受信して、通信が確立されたことを検出する（ステップＳｂ１４）。また、通信処理部２６４は、順次再生装置１０から送信された画像を受信して（ステップＳｂ１５）、画像情報記録部２４に記録する（ステップＳｂ１６）。
編集装置２０において通信処理部２６４は、再生装置１０との通信状態を常に検出し、回線切断状態が生じたか否かを判定する。判定の結果、回線切断状態が生じていない場合には、ステップＳｂ１５における処理から、すなわち、通信処理部２６４が順次再生装置１０から送信された画像を受信して、画像情報記録部２４に記録する処理を繰り返し行う（ステップＳｂ１７）。
ステップＳｂ１７の判定の結果、編集装置２０において通信処理部２６４は、再生装置１０との通信状態に回線切断状態の継続時間を検出し、回線切断状態が予め定められた時間に達する（タイムアウト）か否かを判定する。予め定められた時間に達しない短時間の回線切断状態であった場合には、ステップＳｂ１２からの処理を繰り返す（ステップＳｂ１８）。
【００３３】
通信処理部２６４は、再生装置１０との通信状態に回線切断状態が生じたと判定すると、画像編集処理部２６３は、画像情報記録部２４に記憶された画像情報を参照し、記憶された画像情報の順に応じて編集を行い、画像情報記録部２４に記録する。すなわち、受信できた画像情報と、受信できなかった画像情報を飛ばして、次に受信できた画像情報とを繋いで再生できるように処理をする（ステップＳｂ１９）。
【００３４】
再生装置１０において、ステップＳａ１８における判定の結果、回線離脱状態が生じていると判定された場合には、画像再生処理部１６３は、次の再生画像の送信を行うか否かの判定を行う。判定の結果、次の再生画像を送信すると判定された場合には、再生装置１０では、ステップＳａ１２からの処理を繰り返し、次の再生画像を送信すると判定された場合には、再生画像の送信を終了する（ステップＳａ２０）。
ステップＳｂ１９の処理を終えた編集装置２０では、再生装置１０からの通信確立により次の画像の編集処理に遷る。
【００３５】
以上に示したように、本実施形態では、短距離無線回線を介して、再生画像と再生画像のインデックス情報を一緒に送信する形態を示した。
【００３６】
なお、通信制御部１６４、２６４は、通信部１１、２１がそれぞれ検出した受信信号強度（受信感度）に基づいて回線の状態を判定してもよい。受信信号強度が予め定められた閾値に達しない場合は、回線切断状態と判定する。
また、回線切断状態と判定された場合には、再生装置１０において、通信制御部１６４は、再生画像の送出を停止する。そして、表示処理部１６２は、表示部１３に回線切断状態であることを表示する。
その際に、編集装置２０において、画像編集処理部２６３は、回線切断状態と判定されるまでに受信した画像情報の最後に、回線切断状態が解消し、続いて受信した画像情報の最初をつなげる編集を行う。
【００３７】
（第２実施形態）
以下、本発明の一実施形態について、図面を参照して説明する。
本実施形態による画像編集システムは、図１に示した画像編集システム１と同じ構成とし、同じ符号を付す。
図を参照し画像編集システム１における状態遷移を示す。
図５は、画像編集システム１における状態遷移を示す図である。
図５（ａ）は、時間の経過に応じて再生装置１０において再生される画像情報を示す。
この図に示される画像情報は、時系列に応じて画像Ｐ１からＰ１１までが順に再生される画像として示される。前述の図２（ａ）と同様である。再生装置１０では、再生された画像情報に対応するインデックス情報を送信する。
【００３８】
図５（ｂ）は、再生装置１０で再生された画像情報に対応するインデックス情報の受信結果（受信インデックス）を示す。
この図に示される受信インデックスは、時系列に応じて画像Ｐ１からＰ１１まで順に再生された画像に応じて受信した受信インデックスＩｄ１からＩｄ１１までが示される。
ここで、画像Ｐ５、画像Ｐ６及び画像Ｐ９が再生されているタイミングでは、通信障害が発生した状態を示す。すなわち、再生装置１０と編集装置２０は、再生装置１０の接近により、互いの距離が通信可能な範囲に保持されると通信が確立する。画像Ｐ５、画像Ｐ６及び画像Ｐ９が再生されているタイミングに、再生装置１０が編集装置２０から遠い位置に配置された場合に、通信障害が発生する。編集装置２０では、受信インデックスＩｄ５、受信インデックスＩｄ６及び受信インデックスＩｄ９の情報を受信することができず、受信した受信インデックスＩｄ１からＩｄ１１では、そのうち受信インデックスＩｄ５、受信インデックスＩｄ６及び受信インデックスＩｄ９が欠けた情報となる。
図５（ｃ）は、予め編集装置２０に記憶されている画像情報を示す。この図に示される画像情報は、時系列に応じて画像Ｐ１からＰ１１まで順に再生された画像と同じ画像の画像Ｒ１からＲ１１までが示される。
【００３９】
図５（ｄ）は、編集装置２０に記憶された画像Ｒ１からＲ１１までの情報に基づいて編集処理が行われた結果を示す。
編集装置２０は、再生装置１０の接近により通信が確立した場合に、再生装置１０が送信した画像のインデックス情報を受信する。編集装置２０は、受信したインデックス情報（再生順序情報）に示される順にしたがった再生順序に応じて画像情報を編集する。その編集の際、画像編集処理部２６３は、受信できなかった受信インデックスＩｄ５、受信インデックスＩｄ６及び受信インデックスＩｄ９に対応する画像Ｒ５、画像Ｒ６及び画像Ｒ９の部分を飛ばして次の画像を繋いで編集を行う。
上記のように、再生装置１０と編集装置２０の互いの通信距離に応じて通信可能な状態と不可能な状態とが発生する。画像編集システム１では、この通信状態を画像編集の条件に用いる。
【００４０】
続いて、図を参照し画像編集システム１の編集処理について示す。
図６は、本実施形態における再生装置１０における処理を示したフローチャートである。
また、図７は、本実施形態における編集装置２０における処理を示したフローチャートである。図６と図７を合わせて参照し、再生装置１０と編集装置２０における処理を示す。以下のフローチャートで示される処理では、再生装置１０から送信される情報には再生画像のインデックス情報が含まれる。また、編集装置２０における画像情報記録部２４には、予め再生装置１０で再生される画像情報が記憶されている。
【００４１】
編集装置２０（録画デバイス）は、録画可能な状態（録画待機状態）にあるとする（ステップＳｂ１１）。
再生装置１０における通信処理部１６４は、編集装置２０との通信可能な状態（通信接続状態）にあるかの確認を行う。編集装置２０との通信可能な状態は、通信可能な範囲まで互いの距離が接近した状態になったことによって検出される（ステップＳａ１２）。通信処理部１６４は、データ転送可能な状態であるか否かの判定を行い、データ転送可能な状態が検出できない場合は通信接続確認を繰り返し行う（ステップＳａ１３）。
同様に、編集装置２０において通信処理部２６４は、再生装置１０との通信可能な状態（通信接続状態）にあるかの確認を行う。再生装置１０との通信可能な状態は、通信可能な範囲まで互いの距離が接近した状態になったことによって検出される（ステップＳｂ１２）。通信処理部２６４は、データ転送可能な状態であるか否かの判定を行い、データ転送可能な状態が検出できない場合は通信接続確認を繰り返し行う（ステップＳｂ１３）。
【００４２】
再生装置１０は、ステップＳａ１２における判定の結果、編集装置２０との通信可能な状態（通信接続状態）にあると判定された場合は、画像再生処理部１６３が動画再生を開始する。再生装置１０は、画像再生処理部１６３による動画再生に応じて表示処理部１６２が表示部１３に再生された画像を表示する。表示部１３に表示される画像は、時間シフト調整部１６５によって時間シフト補正された画像が表示される（ステップＳａ１４）。通信処理部１６４は、再生された画像のインデックス情報（Ｉｄ）を送信する（ステップＳａ１５ａ）。
通信処理部１６４は、編集装置２０との通信状態を常に検出し、回線離脱状態が生じたか否かを判定する。判定の結果、回線離脱状態が生じていない場合には、ステップＳａ１５ａにおける処理、すなわち、通信処理部１６４が順次再生画像のインデックス情報（Ｉｄ）を送信する処理を行う（ステップＳａ１８）。
【００４３】
また、編集装置２０において通信処理部２６４は、再生装置１０から送信された画像を受信して、通信が確立されたことを検出する（ステップＳｂ１４）。また、通信処理部２６４は、順次再生装置１０から送信された画像のインデックス情報（Ｉｄ）を受信して（ステップＳｂ１５ａ）、画像情報記録部２４に記録する（ステップＳｂ１６ａ）。
編集装置２０における通信処理部２６４は、再生装置１０との通信状態を常に検出し、回線切断状態が生じたか否かを判定する。判定の結果、回線切断状態が生じていない場合には、ステップＳｂ１５における処理から、すなわち、通信処理部２６４が順次再生装置１０から送信された画像のインデックス情報（Ｉｄ）を受信して、画像情報記録部２４に記録する処理を繰り返し行う（ステップＳｂ１７）。
ステップＳｂ１７の判定の結果、通信処理部２６４は、再生装置１０との通信状態に回線切断状態の継続時間を検出し、回線切断状態が予め定められた時間に達する（タイムアウト）か否かを判定する。予め定められた時間に達しない短時間の回線切断状態であった場合には、ステップＳｂ１２からの処理を繰り返す（ステップＳｂ１８）。
【００４４】
通信処理部２６４は、再生装置１０との通信状態に回線切断状態が生じたと判定すると、画像編集処理部２６３は、画像情報記録部２４に記憶された画像情報を参照し、記憶された画像情報のインデックス情報（Ｉｄ）の順に応じて編集を行い、画像情報記録部２４に記録する。すなわち、受信できなかった画像情報のインデックス情報（Ｉｄ）を飛ばすことにより、受信できた画像情報のインデックス情報（Ｉｄ）と、次に受信できた画像情報のインデックス情報（Ｉｄ）とを繋いで再生できるように処理をする（ステップＳｂ１９）。
【００４５】
再生装置１０において、ステップＳａ１８における判定の結果、回線離脱状態が生じていると判定された場合には、画像再生処理部１６３は、次の再生画像の送信を行うか否かの判定を行う。判定の結果、次の再生画像のインデックス情報（Ｉｄ）を送信すると判定された場合には、再生装置１０では、ステップＳａ１２からの処理を繰り返し、次の再生画像のインデックス情報（Ｉｄ）を送信すると判定されない場合には、再生画像の送信を終了する（ステップＳａ２０）。
ステップＳｂ１９の処理を終えた編集装置２０では、再生装置１０からの通信確立により次の画像の編集処理に遷る。
【００４６】
以上に示したように、本実施形態では、短距離無線回線を介して、再生画像のインデックス情報を送信する形態を示した。
【００４７】
なお、通信制御部１６４、２６４は、通信部１１、２１がそれぞれ検出した受信信号強度（受信感度）に基づいて回線の状態を判定してもよい。受信信号強度が予め定められた閾値に達しない場合は、回線切断状態と判定する。
また、回線切断状態と判定された場合には、再生装置１０において、通信制御部１６４は、再生画像のインデックス情報（Ｉｄ）の送出を停止する。そして、表示処理部１６２は、表示部１３に回線切断状態であることを表示する。
その際に、編集装置２０において、画像編集処理部２６３は、回線切断状態と判定されるまでに受信したインデックス情報（Ｉｄ）に対応する画像情報の最後に、回線切断状態が解消し、続いて受信したインデックス情報（Ｉｄ）に対応する画像情報の最初をつなげる編集を行う。
【００４８】
なお、本発明は、上記の各実施形態に限定されるものではなく、本発明の趣旨を逸脱しない範囲で変更可能である。本実施形態における再生装置１０は、画像情報記憶部に予め記憶された画像情報を時系列に応じて再生することができればよく、主たる再生機能を含んで構成される。例えば、電子カメラ、携帯電話端末、携帯端末装置、画像再生装置などの形態を有するものであっても良い。
また、本実施形態における編集装置２０は、再生装置１０との距離に応じて編集処理が制御され、選択された画像を連続するように編集することができればよく、主たる編集機能を含んで構成される。例えば、画像記憶装置のほかにも、電子カメラ、携帯電話端末、携帯端末装置、プリンタ装置などの形態を有するものであってもよい。
また、本実施形態では、編集装置２０が固定して配置され、再生装置１０が編集装置２０に対して接近を繰り返す形態を示したが、逆に再生装置１０が固定して配置され、編集装置２０が再生装置１０に対して接近を繰り返す形態としてもよく、さらに、再生装置１０と編集装置２０の双方が移動する形態としても良い。
【００４９】
なお、本実施形態の再生装置１０は、画像再生処理部１６３が、画像情報を再生順序情報に示される再生順序にしたがって再生する。通信処理部１６４は、再生順序情報が付与された画像情報を再生順序情報によって示される順に送信する。編集装置２０は、通信処理部２６４が通信の確立状態を検出するとともに、再生順序情報及び画像情報を受信する。画像編集処理部２６３は、通信が確立した際に受信した再生順序情報に示される再生順序にしたがって、再生順序情報と関連付けて画像情報を編集する。
これにより、簡易な操作で画像を編集できる画像編集システム１が提供可能となる。
【００５０】
また、本実施形態の画像情報編集部２６４は、通信の確立により、再生順序情報及び再生順序情報に対応する画像情報をともに受信した場合に、受信した画像情報を再生順序情報にしたがって編集を行う。
これにより、編集装置２０では、受信した受信した画像情報を再生順序情報にしたがって、画像情報の編集を行うことができる。
【００５１】
また、本実施形態の再生装置１０は、表示部１３が、再生された画像情報を表示する。
時間シフト調整部１６５は、表示部１３に表示する画像情報と通信部１１から送信する画像情報との同期ずれ量に基づいて、記憶された画像情報を再生順序情報に対応して再生し表示部１３に表示される画像情報を、編集装置に対し順に送信される再生順序情報に時間軸方向にシフトさせる時間シフト調整を行って同期させる。
これにより、表示部１３に表示される画像情報と通信部１１を介して送信される画像情報との同期ずれを時間シフトすることにより調整できることにより、無線回線で通信している情報と、表示部１３に表示する画像情報とに生じる同期ずれを解消することができる。
【００５２】
また、本実施形態の画像情報は、連続的に再生される動画情報であって、再生順序情報は、動画情報の再生順序を示す時系列情報である。
これにより、画像編集システム１は、繰り返して更新される静止画情報の編集を行うことができる。
【００５３】
また、本実施形態の画像情報は、繰り返して更新される静止画情報である。
これにより、画像編集システム１は、繰り返して更新される静止画情報の編集を行うことができる。
【００５４】
また、本実施形態の再生装置１０は、再生順序情報並びに再生順序情報が付与された画像情報を送信する。編集装置２０は、再生順序情報並びに再生順序情報が付与された画像情報を受信するとともに、受信した画像情報の編集を行う。
これにより、画像編集システム１は、再生順序情報並びに再生順序情報が付与された画像情報を一緒に通信することにより、編集装置２０では、受信した情報に基づいて編集処理を行うことが容易となる。
【符号の説明】
【００５５】
１  画像編集システム
１０  再生装置
１１、２１  通信部（送信部、受信部）
１２、２２  入出力部
１３、２３  表示部
１４、２４  画像情報記憶部
１５、２５  メモリー
１６、２６  制御部
１６４、２６４  通信処理部
１６２  画像再生処理部（画像情報再生部）
１６５  時間シフト調整部
２６４  画像編集処理部（画像情報編集部）
【図１】
2011049979.tif 000003
【図２】
2011049979.tif 000004
【図３】
2011049979.tif 000005
【図４】
2011049979.tif 000006
【図５】
2011049979.tif 000007
【図６】
2011049979.tif 000008
【図７】
2011049979.tif 000009